(57)【要約】      （修正有）【課題】外部電源から電力を供給することなく照明を点灯させることを可能とし、電源を切っても長時間照明でき、消費電力を大幅に削減させることが出来る。【解決手段】熱勾配を電力に換えるペルチェ素子ユニット１と、この電力エネルギーを蓄積する充電器２と、蓄光蛍光体をＬＥＤで励起する発光部４と、充電器２に蓄えられた電力を必要なときに発光部４に向けて放電する電力供給機構を有する。【選択図】  図１
2007036166.tif 000002
【特許請求の範囲】
【請求項１】
熱勾配をペルチェ素子により電力に換え、そのエネルギーをコンデンサー等に充電し、必要なときに放電する電力供給機構と、蓄光蛍光体を励起するライトを組み合わせた、長残光ライト。
【請求項２】
前記蓄光蛍光体が赤、青、緑の長残光蛍光体を混合して白色に蛍光するようにした長残光ライト。
【請求項３】
前記蓄光蛍光体が青色ＬＥＤ励起によって黄色あるいはオレンジに蛍光するものであって、ＬＥＤが点灯時、白色光を出し、消灯時、黄色あるいはオレンジに蛍光する長残光ＬＥＤライト。
【請求項４】
請求項３および４のライトに点滅回路を設けて、ＯＮ時に発光し、ＯＦＦ時に長残光蛍光によって明るさを維持しする長残光ライト。
【発明の詳細な説明】
【技術分野】
【０００１】本発明は、熱勾配をペルチェ素子により電力に換え、そのエネルギーでライトを点灯させ、さらに、その光で長残光蛍光体を励起し、電力供給が停止しても、点灯し続けるライトに関する。
【技術背景】
【０００２】ライトの電力供給は一次電池あるいは二次電池、または外部電源を用いていた。
ＬＥＤはＵＶあるいは青色発光であって、そのＵＶＬＥＤ光で３波長蛍光体を励起するか、あるいは青色ＬＥＤで黄色蛍光体を励起して白色光を発していた。
【発明の開示】
【発明が解決しようとする課題】
【０００３】しかし、電池搭載については使用時間制限、過酷環境下での化学材料使用による劣化がある。また、外部電源については持ち運びが不便である。
また、常時点灯しているため、消費電力が大きく、電池の場合、消耗した後、充電あるいは交換を頻繁に行う必要がある。
【課題を解決するための手段】
【０００４】本発明は、例えば、太陽光による発熱と、冷却材による放熱などのような熱勾配をペルチェ素子により電力に換え、そのエネルギーをコンデンサー等に充電し、必要なときに放電する電力供給機構と、蓄光蛍光体を励起するライトと組み合わせたことを特徴とする長残光ライト。
【発明の効果】
【０００５】以下、本発明の長残光ライトを具体化した実施形態１、２図面を参照しつつ説明する。
【実施例】
【０００６】（実施形態１）図１に示すように、実施形態１の長残光ＬＥＤには脱着可能なペルチェ素子のユニット１とペルチェ素子が発生する電力を蓄える充電器２と電力供給をコントロールする回路３からなる。発光部４はＵＶＬＥＤと３波長の長残光蛍光体からなる。
ペルチェ素子のユニット内では、図１に示すように、集熱板５と放熱板６の間に発電用ペルチェ素子７が取り付けられている。【０００７】電力を蓄える充電器２には、２次電池を使い。ペルチェ素子で発電した電力を充電する。
電力供給をコントロールする回路３は、図２に示すとおり、ＩＣリレーを使用し、５秒間隔で１秒間繰り返し点灯する回路となっている。【０００８】発光部４は３７５ｎｍで発光するＵＶＬＥＤ８と、緑に蓄光するＥｕ：Ｓｒ４Ａｌ７Ｏ４とオレンジ色に蓄光するＥｕ：ＹＯ２Ｓｒと青色に蓄光するＥｕ、Ｎｄ：ＣａＡｌ２Ｏ４  を混合した粉末９と集光レンズ１０からなる。【０００９】以上のように構成された長残光ＬＥＤでは、図１に示すように、太陽光を集熱する集熱板５と熱伝導の良い材料で接合された放熱板６との温度差によって、発電用ペルチェ素子７に起電力を生じさせることができる。【００１０】こうして、発電用ペルチェ素子７で生じた起電力は、蓄電池２に蓄えられることとなる。そして、蓄電池２に蓄えられた起電力は、ＵＶＬＥＤ８を起動することに利用される。ＵＶＬＥＤ８から紫色のＵＶ光を発光し、そのＵＶ光を蓄光粉末９に照射することにより白色光が得られる。蓄光粉末は、緑と赤と青にそれぞれ蓄光する３種類の蓄光体から成り、それぞれが蓄光し、その光の混色によって白色光が得られる。この蓄光は、励起光源であるＬＥＤをＯＦＦにしても、６時間以上蛍光している。【００１１】このため、本発明によるＬＥＤライトには外部電源から電力を供給する必要がない。しかも、長残光蛍光体を用いることによって常時ＬＥＤを点灯させる必要がないため、電力供給及び省エネルギの相乗効果を発揮することができる。【００１２】したがって、実施形態１のＬＥＤライトでは、太陽光と放熱板の温度差が生じる部位を利用して、起電力を得ることにより、省電力を実現することができ、使用される照明費用を低廉させることができる。【００１３】（実施形態２）図１に示すように、実施形態２の長残光ＬＥＤには脱着可能なペルチェ素子のユニット１とペルチェ素子が発生する電力を蓄える蓄電器２と電力供給をコントロールする回路３からなる。発光部は青色ＬＥＤ１１と黄色の長残光蛍光体からなる。
ペルチェ素子のユニット内では、図１に示すように、集熱板５と放熱板６の間に発電用ペルチェ素子７が取り付けられている。【００１４】電力を蓄える充電器２には、２次電池を使い。ペルチェ素子で発電した電力を充電する。
電力供給をコントロールする回路３は、図２に示すとおり、ＩＣリレーを使用し、数秒〜数分間隔で点灯、蓄光体を照射し、数分〜数時間消灯する回路となっている。蓄光体は消灯時間帯であっても数時間は蛍光を発する。
発光部４は４７０ｎｍで発光する青色ＬＥＤ１１と、オレンジ色に蓄光するＥｕ：ＹＯ２Ｓｒ粉末１２と集光レンズ１０からなる。【００１５】こうして、発電用ペルチェ素子７で生じた起電力は、蓄電池２に蓄えられることとなる。そして、蓄電池２に蓄えられた起電力は、青色ＬＥＤ１１を起動することに利用される。青色ＬＥＤ１１で、黄色の長残光蛍光体１２を励起し、白色光を発すライトが得られる。蓄光型長残光蛍光体は一定時間可視光を与えることによって長時間光を発光し続けることが出来る。しかし、図４に示すとおり、時間の経過に伴い、急激に輝度が低下し、１０数時間後には全く光を発光しなくなる。【００１６】本発明は、図５に示すとおり、比較的輝度が高い段階で明るいか思考を比較的短時間、間欠的に与え続けることによって、半永久的に高い輝度を持つ、発光が得られる。
このため、本発明によるＬＥＤライトには外部電源から電力を供給する必要がなく、長残光蛍光体を用いることによって常時ＬＥＤを点灯させる必要がないため、電力供給及び省エネルギの相乗効果を発揮することができる。【００１７】したがって、実施形態１および２のＬＥＤライトでは、集熱板と放熱板の温度差が生じる部位を利用して、起電力を得ることにより、省電力を実現することができ、使用される照明費用を低廉させることができる。
【発明の効果】
【００１８】以上説明したように本発明の温度勾配を利用したペルチェ発電により、外部電源から電力を供給することなく照明を点灯させることを可能とした。また、長残光蛍光体をＬＥＤで励起することにより、電源を切っても長時間照明できる。さらに、電源を一定周期で短時間隔で点滅させることで消費電力を大幅に削減させることが出来る。
【図面の簡単な説明】
【００１９】
【図１】長残光ＬＥＤの説明図である。
【図２】コントロールする回路の説明図である。
【図３】発光部の構造図である。
【図４】長残光蛍光体の残光時間を示す図である
【図５】本発明を用いたライトの発行強度変化をしめす図である
【符号の説明】
【００２０】１．ペルチェ素子のユニット
２．充電器
３．コントロール回路
４．発光部
５．集熱板
６．放熱板
７．ペルチェ素子
８．ＵＶＬＥＤ
９．蓄光粉末
１０．集光レンズ
１１．青色ＬＥＤ
１２．黄色蓄光粉末
【図１】
2007036166.tif 000003
【図２】
2007036166.tif 000004
【図３】
2007036166.tif 000005
【図４】
2007036166.tif 000006
【図５】
2007036166.tif 000007